(57)【要約】【課題】複雑な指先形状を有するハンドマネキンを、煩雑な手間を要することなく、少ない工程で生産性よく製造する。【解決手段】原型から作製された金型本体１１に、ペースト状の樹脂溶液を注入し、金型本体１１の開口部に、装着プレート５を保持させたインサート金型１２を載置するとともに、インサート金型１２と装着プレート５のそれぞれに穿設された挿通孔に、パイプ状のベント部材１６を嵌挿しつつ、金型本体１１の開口部にインサート金型１２を密着させて、ベント部材１６を通じて金型内の排気を可能にした状態で、金型本体１１の開口部をインサート金型１２で塞いで回転成形に供する。【選択図】      図３
2019018500.tif 000002
【特許請求の範囲】
【請求項１】
マネキン人形の腕部に、手首から先の部位として着脱自在に取り付け可能なハンドマネキンの製造方法であって、
当該ハンドマネキンの原型から作製された金型本体に、ペースト状の樹脂溶液を注入し、
前記金型本体の開口部に、装着プレートを保持させたインサート金型を載置するとともに、
前記インサート金型と前記装着プレートのそれぞれに穿設された挿通孔に、パイプ状のベント部材を嵌挿しつつ、前記金型本体の開口部に前記インサート金型を密着させて、
前記ベント部材を通じて金型内の排気を可能にした状態で、前記金型本体の開口部を前記インサート金型で塞いで回転成形に供することを特徴とするハンドマネキンの製造方法。
【請求項２】
成形されたハンドマネキンを前記金型本体から引き抜くに際し、前記インサート金型側を先に冷却する請求項１に記載のハンドマネキンの製造方法。
【発明の詳細な説明】
【技術分野】
【０００１】
本発明は、マネキン人形の腕部に、手首から先の部位として着脱自在に取り付け可能なハンドマネキンの製造方法に関する。
【背景技術】
【０００２】
従来、衣服の陳列に用いるマネキン人形として、衣服の着せ替えを容易にするなどの目的で、頭部、胴部、腕部、脚部などの各部位を別体に製造して、これらを着脱自在に構成したものが知られている。そして、複雑な指先形状を有する手首から先の部位（ハンドマネキン）を製造するにあたり、特許文献１には、スラッシュ成形法により製造する技術が提案されている。
【先行技術文献】
【特許文献】
【０００３】
【特許文献１】特公平４−８２０８５号公報
【発明の概要】
【発明が解決しようとする課題】
【０００４】
しかしながら、特許文献１では、まず、溶融樹脂が注入された成形金型を垂直状態で回転させて、指先の先端まで樹脂溶液が充填されるようにしてから、プレートを螺着したインサート金型を金型開口部に装着している。次いで、成形金型を高温のワックスバス内に浸漬して、金型内面に接する樹脂溶液を適宜の肉厚で加熱硬化させた後に、ワックスバスから成形金型を取り出して未硬化の不要な樹脂溶液を排出してから、再びワックスバスに戻して成形金型内に残る樹脂の加熱硬化を完了させる工程を経ることによってハンドマネキンを製造しており、工程が多く煩雑な手間を要するため、生産性に劣るという問題があった。
【０００５】
本発明は、上記したような事情に鑑みてなされたものであり、複雑な指先形状を有するハンドマネキンを、煩雑な手間を要することなく、少ない工程で生産性よく製造することができるハンドマネキンの製造方法の提供を目的とする。
【課題を解決するための手段】
【０００６】
本発明に係るハンドマネキンの製造方法は、マネキン人形の腕部に、手首から先の部位として着脱自在に取り付け可能なハンドマネキンの製造方法であって、当該ハンドマネキンの原型から作製された金型本体に、ペースト状の樹脂溶液を注入し、前記金型本体の開口部に、装着プレートを保持させたインサート金型を載置するとともに、前記インサート金型と前記装着プレートのそれぞれに穿設された挿通孔に、パイプ状のベント部材を嵌挿しつつ、前記金型本体の開口部に前記インサート金型を密着させて、前記ベント部材を通じて金型内の排気を可能にした状態で、前記金型本体の開口部を前記インサート金型で塞いで回転成形に供する方法としてある。
【発明の効果】
【０００７】
本発明によれば、複雑な指先形状を有するハンドマネキンを、煩雑な手間を要することなく、少ない工程で生産性よく製造することができる。特に、ベント部材を通じて金型内の排気を可能にした状態で、金型本体の開口部をインサート金型で塞いで回転成形に供することで、ハンドマネキンの手首側端部が膨出するように変形して、商品価値を著しく損ねてしまうというような不具合を有効に回避することができる。
【図面の簡単な説明】
【０００８】
【図１】本発明の実施形態に係るハンドマネキンの製造方法により製造されるハンドマネキンの一例を示す部分断面図である。
【図２】本発明の実施形態に係るハンドマネキンの製造方法に用いる成形金型の一例を示す概略斜視図である。
【図３】図２に示す成形金型の要部を示す部分断面図である。
【発明を実施するための形態】
【０００９】
以下、本発明の好ましい実施形態について、図面を参照しつつ説明する。
【００１０】
図１に、本実施形態に係るハンドマネキンの製造方法よって製造されるハンドマネキン１の一例を示す。かかるハンドマネキン１は、その手首側に連結部材２を装着して、マネキン人形の腕部に、手首から先の部位として着脱自在に取り付けて使用されるものである。このような使用を可能とするために、ハンドマネキン１の手首側端部には、当該連結部材２が嵌入される凹部３が設けられているとともに、当該連結部材２をボルト４などによって螺着するネジ孔が穿設された装着プレート５が埋設されている。
【００１１】
本実施形態では、このようなハンドマネキン１を回転成形によって製造する。回転成形に用いる成形金型１０は、ハンドマネキン１の原型から電鋳法などにより製作された金型本体１１と、装着プレート５を保持して金型本体１１の開口部を塞ぐインサート金型１２とを備えている。
また、成形金型１０は、金型本体１１を保持する枠体１３を備えており、加熱炉内に設置された回転装置が備える回転台に枠体１３を介して固定できるようになっている。
【００１２】
インサート金型１２と装着プレート５とには、同径の挿通孔が穿設されている。これらの挿通孔には、押さえハンドル１４にバネ１５で付勢された状態で取り付けられたパイプ状のベント部材１６が嵌挿され、金型本体１１の開口部を塞ぐインサート金型１２が、バネ１５の付勢力によって当該開口部に密着するようになっている。
なお、枠体１３には、押さえハンドル１４を固定する固定部１７が設けられている。
【００１３】
次に、このような成形金型１０を用いて、ハンドマネキン１を回転成形によって製造する工程について、その一例を挙げて説明する。
まず、ペースト状に調製されたポリ塩化ビニールなどの樹脂溶液を計量して、金型本体１１内に注入する。そして、金型本体１１の開口部に、装着プレート５をボルトで螺着するなどして保持させたインサート金型１２を載置する。その際、インサート金型１２と装着プレート５とを加熱しておくのが好ましい。このようにすることで、回転成形に際して、インサート金型１２と装着プレート５との間に回り込んだ樹脂溶液の流動性を良好にして、成形不良を有効に回避することができる。
【００１４】
次いで、インサート金型１２と装着プレート５のそれぞれに穿設された挿通孔に、ベント部材１６を嵌挿しつつ、枠体１３に設けられた固定部１７に押さえハンドル１４を固定して、金型本体１１の開口部にインサート金型１２を密着させる。これにより、ベント部材１６を通じて金型内の排気を可能にした状態で、金型本体１１の開口部をインサート金型１２で塞いで、成形金型１０を組み立てることができる。
【００１５】
これらの作業は、回転装置から取り外された回転台に、成形金型１０を固定した状態で行うことができる。そして、作業終了後に、回転台を加熱炉内に移送して、加熱炉内に設置された回転装置に据え付けることによって、回転成形の準備が完了する。
【００１６】
回転成形は、加熱炉内で成形金型１０を加熱しながら、成形金型１０が固定された回転台を回転装置により、例えば、水平回転軸と鉛直回転軸の二軸方向に回転させることによって行うことができる。これにより、成形金型１０内の樹脂溶液が、遠心力によって金型内面を覆うように流動しつつ、ゲル化することによって、型通りの形状に成形される。このとき、加熱により膨張した金型内の空気はベント部材１６を通じて排気されるため、金型内の圧力上昇に起因する成形不良を有効に回避できるが、これについては後述する。
【００１７】
また、回転成形に際して、溶融樹脂がベント部材１６内に流入し、さらには、外部に飛散してしまうことが懸念されるが、ベント部材１６が金型内に突出する長さや、ベント部材１６の内径を適宜調整することで、溶融樹脂がベント部材１６内に流入するのを抑制することができる。溶融樹脂がベント部材１６内に流入するのを抑制する上で、ベント部材１６が金型内に突出する長さは、２０〜８０ｍｍであるのが好ましく、ベント部材１６の内径は、２〜１０ｍｍであるのが好ましい。
【００１８】
その後、加熱炉から成形金型１０を取り出して、成形金型１０が適度に冷却されてから、成形されたハンドマネキン１を金型本体１１から引き抜くが、成形金型１０の冷却は、先にインサート金型１２側を冷却するのが好ましい。このためには、例えば、加熱炉から取り出した直後の成形金型１０のインサート金型１２側に向けて冷却水を放水し、次いで、成形金型１０を冷却水槽に浸漬するなどすればよい。
【００１９】
成形されたハンドマネキン１を金型本体１１から引き抜くには、まず、押さえハンドル１４を枠体１３に設けられた固定部１７から解除して、ベント部材１６を取り外す。次いで、インサート金型１２ごと、成形されたハンドマネキン１を捻りながら金型本体１１から引き抜けばよい。このとき、成形金型１０のインサート金型１２側を先に冷却することにより、ハンドマネキン１の手首側の硬化を進行させて、引き抜く際の負荷でハンドマネキン１の手首側が変形したりするのを抑制しながら、その一方で、ハンドマネキン１の指先側を柔軟な状態に維持することで、ハンドマネキン１が途中で引き裂かれてしまったりするなどの不具合を有効に回避することができる。
【００２０】
また、回転成形時に加熱により膨張した空気が金型内に閉じ込められたままであると、金型本体１１からインサート金型１２を取り外すときに一気に開放されて、ハンドマネキン１の手首側端部が膨出するように変形してしまう。そうすると、ハンドマネキン１の手首側端部に設けた凹部３に連結部材２を嵌入できず、連結部材２を装着できなくなくなってしまったり、連結部材２を装着できたとしても、マネキン人形の腕部に取り付けたときに、その連結部に隙間が生じしてしまったりするなどして、商品価値を著しく損ねてしまう。これに対して、本実施形態では、前述したように、金型内の空気はベント部材１６を通じて排気されるため、このような不具合が生じることもない。
【００２１】
成形されたハンドマネキン１を金型本体１１から引き抜いたら、インサート金型１２を取り外して、十分に硬化するまで冷却し、しかる後に、バリ取りなどの仕上げ加工を施すことによって、図１に示すようなハンドマネキン１が完成する。
【００２２】
このような本実施形態によれば、必要量の樹脂溶液を注入して成形金型１０を組み立てるだけで回転成形の準備が完了し、回転成形に供した後は、成形されたハンドマネキン１を引き抜く際に人手を要するだけなので、複雑な指先形状を有するハンドマネキン１を、煩雑な手間を要することなく、少ない工程で生産性よく製造することができる。特に、ベント部材１６を通じて金型内の排気を可能にした状態で、金型本体１１の開口部をインサート金型１２で塞いで回転成形に供することで、ハンドマネキン１の手首側端部が膨出するように変形して、商品価値を著しく損ねてしまうというような不具合を有効に回避することができる。
【００２３】
以上、本発明について、好ましい実施形態を示して説明したが、本発明は、前述した実施形態にのみ限定されるものではなく、本発明の範囲で種々の変更実施が可能であることはいうまでもない。
【００２４】
また、本発明により製造されるハンドマネキン１は、マネキン人形の腕部に、手首から先の部位として着脱自在に取り付け可能なものであるが、ジュエリーディスプレイ用、ネイル練習用などの用途に単独で使用することもできる。
【符号の説明】
【００２５】
１          ハンドマネキン
５          装着プレート
１０          成形金型
１１          金型本体
１２          インサート金型
１６          ベント部材
【図１】
2019018500.tif 000003
【図２】
2019018500.tif 000004
【図３】
2019018500.tif 000005